(57)【要約】      （修正有）【課題】波長変換層からの放熱性の高い発光装置を提供する。【解決手段】発光装置１０は、光源モジュール１と、光源モジュール１からの出射光を伝送する光ファイバ２と、光ファイバ２の一端部を保持する光ファイバ保持部材３１と、光ファイバ保持部材３１に収容され、光ファイバ２の出射端面２１ａに隣接配置された波長変換部３２とを備える。波長変換部３２は、光ファイバ保持部材３１に形成された凹部内に充填された、波長変換粒子の分散された液体から構成されることを特徴とする。光源モジュール１の点灯時には、波長変換部の波長変換粒子分散液の対流が生じる。【選択図】図１
2015170839.tif 000002
【特許請求の範囲】
【請求項１】
光源モジュールと、
前記光源モジュールからの出射光を伝送する光ファイバと、
前記光ファイバの出射面側の一端部を保持する光ファイバ保持部材と、
前記光ファイバ保持部材に収容され、前記光ファイバの出射端面に隣接配置された波長変換部と、を備え、
前記波長変換部は、前記光ファイバ保持部材に形成された凹部内に充填された、波長変換粒子の分散された液体から構成されることを特徴とする発光装置。
【請求項２】
前記光源モジュールの点灯時には、前記波長変換部において、前記波長変換粒子の分散された液体の対流が生じることを特徴とする請求項１の発光装置。
【請求項３】
前記波長変換粒子の分散された液体は、水を溶媒とし、前記波長変換粒子の平均粒径は、１〜１００ｎｍであり、界面活性剤が添加されていることを特徴とする請求項１または請求項２の発光装置。
【請求項４】
請求項１乃至請求項３のいずれか１項に記載の発光装置と、
前記発光装置からの出射光を所定方向へ照射する投影手段とを備えた照明装置。
【発明の詳細な説明】
【技術分野】
【０００１】
本発明は、発光装置に関し、特に光ファイバと波長変換部とを備える発光装置に関する。
【背景技術】
【０００２】
特許文献１には、光ファイバと波長変換部を備える発光装置が記載されている。光ファイバの一端に光源が配置され、他端に波長変換部が配置されている。また波長変換部と光ファイバの一端は、保持部材に固定されている。
【先行技術文献】
【特許文献】
【０００３】
【特許文献１】特開２００７−３３５５１４号公報
【発明の概要】
【発明が解決しようとする課題】
【０００４】
特許文献１のような発光装置においては、波長変換部に用いられる蛍光体に温度依存性があるため、波長変換部が発光した際に発生する熱で高温となることにより特性が低下する、または、劣化するという問題があり、波長変換部からの放熱性を向上することが課題となっていた。
【０００５】
特許文献１においては、保持部材から外部へ熱を放出させて放熱性を向上するために熱伝導部材を設けることが示されている。しかし、波長変換部からの熱を保持部材を経由して効率よく外部に放出して、さらに放熱性を向上することが望まれていた。
【０００６】
そこで、本発明は、波長変換部からの放熱性を向上した発光装置を提供することを目的とする。
【課題を解決するための手段】
【０００７】
本発明の発光装置は、光源モジュールと、光源モジュールからの出射光を伝送する光ファイバと、光ファイバの出射面側の一端部を保持する光ファイバ保持部材と、光ファイバ保持部材に収容され、光ファイバの出射端面に隣接配置された波長変換部と、を備える。波長変換部は、光ファイバ保持部材に形成された凹部内に充填された、波長変換粒子の分散された液体から構成されることを特徴とする。
【発明の効果】
【０００８】
本発明の発光装置によれば、波長変換部は、波長変換粒子が分散された液体から構成されるとともに、光ファイバ保持部材に形成された凹部に配置されているため、波長変換部を固体として構成した場合と比較して、放熱性を向上した発光装置を提供することができる。
本発明の発光装置において、波長変換部内に揺動または熱対流を生じて、波長変換部内の熱の均一性および光ファイバ保持部材への熱伝導効率を向上することができるためである。
【図面の簡単な説明】
【０００９】
【図１】（ａ）本発明の実施例１の発光装置の概略平面図、（ｂ）本発明の実施例１の発光装置における発光部の概略断面図である。（ｃ）本発明の実施例１の発光装置における発光部の概略上面図である。
【図２】本発明の実施例１の発光装置における発光部の製造方法を説明するための（ａ）光ファイバ保持部材の形成工程、（ｂ）光ファイバ挿入工程、（ｃ）光透過部材取付け工程、（ｄ）波長変換部形成工程、（ｅ）封止工程、を示す断面図である。
【図３】（ａ）および（ｂ）本発明の実施例１の発光装置を用いた車両用灯具の構成例を説明する図である。
【図４】（ａ）本発明の実施例２の発光装置における発光部の概略断面図、（ｂ）本発明の実施例２の発光装置の最適な取付け状態における発光部の概略断面図、（ｃ）本発明の実施例２の発光装置を用いた車両用灯具の最適な構成例を示す図である。
【図５】（ａ）本発明のその他の実施例の発光装置における発光部の概略上面図、（ｂ）、（ｃ）、（ｄ）、（ｅ）本発明のその他の実施例の発光装置における発光部の概略断面図である。
【発明を実施するための形態】
【００１０】
以下、この発明の好適な実施形態を詳細に説明する。尚、以下に述べる実施形態は、本発明の好適な具体例であるから、技術的に好ましい種々の限定が付されているが、本発明の範囲は、以下の説明において特に本発明を限定する記載がない限り、これらの実施形態に限られるものではない。
本発明の発光装置は、車両用灯具、照明器具、内視鏡装置などの各種照明装置に用いることができる。
【実施例１】
【００１１】
以下に、本発明の実施例１に係る発光装置１０について、図１〜図３を参照しつつ説明する。
図１（ａ）は、本発明の実施例１の発光装置１０の概略平面図である。尚、図１（ａ）において、光源モジュール１は模式的に示されている。図１（ａ）に示すように、発光装置１０は、光源モジュール１と、光源モジュール１から出射された光を導光する光ファイバ２と、光ファイバ２により導光された光の少なくとも一部を異なる波長の光に変換する波長変換部３２を備えた発光部３とを備える。
図１（ｂ）は、本発明の実施例１の発光装置１０における発光部３の概略断面図であり、中心の光ファイバ２を通る断面図である。図１（ｃ）は、本発明の実施例１の発光装置１０における発光部３の概略上面図である。図１（ｃ）において、説明を容易とするため、光ファイバ２の外形、波長変換部３２の外形などを点線で示している。図１（ｂ）および（ｃ）に示すように、発光部３は、光ファイバ保持部材３１と、該光ファイバ保持部材３１に挿通された光ファイバの一端と、光ファイバ保持部材３１に形成された凹部３１Ｘ内に配置された波長変換部３２と、波長変換部３２上部を覆う光透過部材３３とを備える。
【００１２】
光源モジュール１は、半導体発光素子１１としての青色半導体レーザ素子及びレンズを含んでおり、半導体レーザ素子に駆動電圧を印加することにより、半導体レーザ素子から青色光を出射し、レンズにより集束させる。例えば、半導体レーザ素子１１が搭載されるステム１３とステム１３に固定された外部端子１４と、半導体レーザ素子１１からの出射光を集光する集光レンズ１２と、ステム１３上に取り付けられた金属製の筐体１５と、筐体の開口に取り付けられた蓋部材１６からなるＣＡＮ型パッケージを用いることができる。
半導体レーザ素子１１は、例えばＧａＩｎＮ系青色半導体レーザ素子が使用され、例えば波長４００から４６０ｎｍ程度の青色光を出射する。
レンズ１２は、例えば非球面レンズから成る凸レンズとして構成されており、半導体レーザ素子からの光を、後述する光ファイバ２の入射端面に集束させる。
【００１３】
光ファイバ２は、その一端面が上記光源モジュール１に接続されている入射端面とされると共に、他端側端面が出射端面２１ａとされている。これにより、発光装置１０は、光源モジュール１の半導体レーザ素子１１から出射した光が、入射端面から光ファイバ２内に入射して他端側の出射端面２１ａまで導かれる。光ファイバ２の入射端面側の一端部は、光源モジュール１の蓋部材に形成された挿通孔に挿通されて、保持されている。光ファイバ２の出射端面２１ａ側の一端部２１は、光ファイバ保持部材３１に形成された挿通孔３１Ｚに挿通されて保持されている。
光ファイバ２は、公知の構成であって、中心のコアと、コアの外周を包囲するクラッドと、から構成されており、コア内に沿って一端から他端に光を伝達し得るようになっている。
光ファイバ２において、コアは、クラッドと比較して屈折率が高いため、入射端面から入射した半導体レーザ素子からの発光は、コアとクラッドとの境界の全反射を利用してコア内部に閉じこめられた状態で出射端面から出射する。例えば、クラッド断面は円形、コア断面のアスペクト比が１：２＝高さＨ（例えば０．４［ｍｍ］）：幅Ｗ（例えば０．８［ｍｍ］）の矩形で、ＮＡ（開口数）が０．２２の光ファイバ２を用いることができる。
【００１４】
光ファイバ保持部材３１は、円筒状の外形を有し、光ファイバ２を保持固定する光ファイバ挿通孔３１Ｚ、および、光ファイバ挿通孔３１Ｚに連通した波長変換部３２を収容する凹部３１Ｘが形成されている。そのため、光ファイバ保持部材３１は、光ファイバ２の出射面２１ａ側の一端部２１を保持するとともに、光ファイバ２の出射端面２１ａを波長変換部３２に当接させて位置決め固定する。すなわち、光ファイバ保持部材３１において、光ファイバ２は、凹部３１Ｘ底面に出射端面２１ａが露出するよう固定される。
光ファイバ保持部材３１において、光ファイバ２の出射端面２１ａ側の端部２１は、光ファイバ挿通孔３１Ｚに挿通されて、光ファイバ挿通孔３１Ｚの内壁と光ファイバ２の外周面との間に固定材３６を充填して固定される。固定材としては、常温硬化型のエポキシ樹脂、シリコーン樹脂などを用いることができる。
【００１５】
光ファイバ保持部材３１には、外周面に波長変換粒子分散液の注入口３１ａと排出口３１ｂが形成され、注入口３１ａおよび排出口３１ｂを凹部３１Ｘとをつなぐ連通部３１Ｙが形成されている。
本実施例では、光ファイバ保持部材３１の凹部３１Ｘの内径は、光ファイバ挿通孔３１Ｚの内径より大きく形成されている。
光ファイバ保持部材３１の凹部３１Ｘは、立方体、直方体、四角錐台、円柱、円錐台など適宜な形状とすることができ、凹部３１Ｘの内壁には適宜反射面を形成することができる。
光ファイバ保持部材３１に形成した凹部３１Ｘの開口は、光透過部材３３により塞がれる。
【００１６】
光ファイバ保持部材３１は、波長変換部３２より熱伝導性の高い材料から構成される。波長変換部３２より熱伝導性の高い材料から構成することにより、波長変換部３２で発生した熱を光ファイバ保持部材３１へ伝熱することができ、効率よく外部へ放熱することができる。例えば、銅、アルミニウム、ニッケル、ステンレスなどの金属、ジルコニア、酸化アルミニウム、窒化アルミニウム、ガラスなどのセラミックスで構成することができる。また、凹部３１Ｘの内壁にめっきやスパッタリングなどの適宜な手法により銀やアルミニウムなどの反射膜を形成することができる。
【００１７】
波長変換部３２は、光ファイバ保持部材３１の内部に配置されるとともに光ファイバの出射端面２１ａに隣接配置される。
【００１８】
波長変換部３２は、波長変換粒子を含有した溶媒（液体）から構成され、光ファイバ保持部材３１に形成された凹部３１Ｘ内に充填されて構成される。そのため、凹部３１Ｘ形状が波長変換部３２の形状となる。
【００１９】
波長変換部３２において、波長変換粒子を含有させる溶媒（液体）としては、水などの熱容量の大きい液体を用いることが好ましい。
波長変換部３２において、波長変換粒子を分散する溶媒と波長変換粒子との屈折率差は小さいほうが波長変換粒子に光が入射しやすいため好ましい。
【００２０】
波長変換部３２における波長変換粒子としては、適宜な発光色の波長変換粒子粒子を用いることができる。例えば、発光の中心波長が４５０ｎｍの青色発光光源モジュール１に対して、黄色発光する波長変換粒子を用いることにより白色発光装置を提供することができる。また、例えば、発光の中心波長が４０５ｎｍの近紫外域発光光源モジュール１に対して、青、緑、赤をそれぞれ発光する３種類の波長変換粒子を用いることにより白色発光装置を提供することができる。
【００２１】
波長変換粒子としては、蛍光体粒子、発光性半導体微粒子、マイクロカプセルにより粒子化した発光性液状高分子を用いることができる。
蛍光体粒子としては、Ｃｅを付活したＹＡＧなどのガーネット蛍光体、サイアロンやカズンなどの窒化物蛍光体、（Ｓｒ，Ｂａ，Ｃａ）ＳｉＯ４：Ｅｕ（Ｅｕを付活したオルトシリケート蛍光体）などの適宜な蛍光体の粒子を用いることができる。
発光性半導体微粒子としては、ＣｄＳｅ、ＺｎＳ−ＡｇＩｎＳ２（ＺｎＳ結晶とＡｇＩｎＳ２結晶の混合体）、ＧａＡｓ、Ｓｉなどの粒子を用いることができる。これらは、バンドギャップより短い励起光を吸収してバンドギャップに応じた発光をする。
マイクロカプセルにより粒子化した発光性液状高分子は、シリコーン樹脂などの適宜な材料から構成されるマイクロカプセルに発光性液状高分子を内包して構成することができる。発光性液状高分子としては、液状アントラセンなどを用いることができる。
尚、波長変換粒子を分散して波長変換部を構成することにより、波長変換部における透過光と波長変換光の光量調整を容易とすることができる。
【００２２】
波長変換部３２は、具体的には、溶媒として水、蛍光体粒子としてＣｅを付活したＹＡＧなどを用いることができる。この溶媒と蛍光体粒子との組合せは、溶媒、溶質いずれも極性を有しており溶解分散しやすい組合せとなっているため好ましい。
【００２３】
波長変換部３２において、波長変換粒子は、平均粒径が１〜１００ｎｍであることが好ましい。平均粒径が１〜１００ｎｍといわゆるナノ粒子と呼ばれる比較的小さいサイズの蛍光体粒子を用いることにより、波長変換部３２内での分散性を向上することができる。
波長変換部３２には、界面活性剤を含有することが好ましい。界面活性剤を含有することにより波長変換部３２内での波長変換粒子の分散性を向上することができる。
波長変換部３２には、レーザ光を散乱させるための散乱剤や、波長変換粒子の凝集を抑制する分散剤などを適宜混合することができる。
【００２４】
波長変換部３２において、光源モジュール１の点灯時には、波長変換粒子が光ファイバの出射端面から出射される光の一部を吸収して、他の波長へ変換した光を放出する。そのため、波長変換部３２からは、光ファイバ２の出射端面から出射されて波長変換粒子に吸収されなかった透過光と、蛍光体により波長変換された光との合成光が放出される。
【００２５】
本願発明の発光装置のように、波長変換部３２は、流動性を有するため、波長変換部３２を固体として構成した場合と比較して熱応力に対して高い強度を有する。
【００２６】
本願発明の発光装置のように、波長変換部３２は、光ファイバ保持部材３１に形成された凹部３１Ｘ内に充填配置されているため、光ファイバ保持部材３１に対して密着界面を形成することができる。そのため、波長変換部３２を光ファイバ保持部材３１に対して接着剤を用いて固定した場合と比較して、光ファイバ保持部材３１へ効率よく伝熱することができ、波長変換部３２からの放熱効率を高めることができる。
【００２７】
本願発明のように、波長変換部３２を液体として構成することにより、波長変換部３２内で対流、および対流伝熱を発生させて、熱の均一性を向上し光ファイバ保持部材３１への熱伝導効率を向上することができる。
ここで、波長変換部３２において、光源モジュール１の点灯時には、光ファイバ２の出射端面２１ａ近傍に存在する波長変換粒子の励起量が周囲の波長変換粒子に比べて大きくなる。従って、光ファイバ２の出射端面近傍に存在する波長変換粒子からの発熱は、周囲の波長変換粒子に比べて大きい。そして、波長変換部３２を固体として構成した場合には、光が照射された部分の局所的な発熱を、十分に放熱することおよび該局所的な発熱による波長変換部３２の劣化の抑制は困難なものとなっていた。
一方、本願発明のように、波長変換部３２を液体として構成することにより、光ファイバ２の出射端面２１ａ近傍の波長変換粒子からの発熱を受けた出射端面近傍の液体の温度が上昇すると膨張により密度が小さくなって上昇し、そこへ周囲の比較的低温度の液体が流入することが繰り返される。この液体の移動により、熱および分散されている波長変換粒子も移動する。つまり、波長変換部３２内で対流、および対流伝熱を発生させて、熱の均一性を向上し光ファイバ保持部材３１への熱伝導効率を向上することができる。
また、液の移動に伴い波長変換部３２内で波長変換粒子をも移動させることができるため、レーザ光のように光密度の強い光を照射しても波長変換粒子の蛍光寿命に起因する輝度消光、すなわち波長変換部３２の劣化（具体的には波長変換粒子の劣化）を抑制することができる。
【００２８】
また、本願発明のように、波長変換部３２を液体として構成することにより、揺動の生じる使用環境においては、波長変換部３２が揺動することによっても、熱および分散されている波長変換粒子も揺動されて、上記対流の発生と同様、熱の均一性の向上、光ファイバ保持部材３１への熱伝導効率の向上を図ることができる。
【００２９】
光透過部材３３は、波長変換部３２を覆うように、つまり凹部３１Ｘの開口を塞ぐように光ファイバ保持部材３１に配置される。光透過部材３３は、水密的に光ファイバ保持部材３１に接合され、波長変換粒子含有液体からなる波長変換部３２を光ファイバ保持部材３１に保持することができる。
光透過部材３３は、波長変換部３２から放出される光を透過して発光装置１０の発光面を形成する。
光透過部材３３は、波長変換部３２を透過する光および波長変換部３２の波長変換粒子により波長変換された光を透過する部材であり、例えば、ガラス、成形樹脂などを用いることができる。光透過部材３３は、光散乱性を有してもよく、例えば、光散乱剤や波長変換粒子を分散してもよい。
光透過部材３３の形状は、平板状でも、曲面を有するレンズ状でもよく、任意である。光透過部材３３の凹部３１Ｘに対向する面を凹部３１Ｘに対して凸状として、波長変換部３２の形状や厚みを確定可能な形状としてもよい。
光透過部材３３は、光ファイバ保持部材３１に対して、適宜の手段により接合することができる。
本実施例では、光透過部材３３は、波長変換部３２の外径（凹部の内径）より一回り大きなガラスを用いて、周縁部を接着剤３４を介して光ファイバ保持部材３１に接合している。接着剤３４としては、シリコーン樹脂などの樹脂やガラスなどを用いることができ、加熱冷却により接着することができる。
【００３０】
［本発明の実施例１の製造方法］
次に、本発明の実施例１の発光装置１０の製造方法について図２を参照して説明する。
【００３１】
まず、図２（ａ）に示すように、光ファイバ２を挿通保持する光ファイバ挿通孔３１Ｚと光ファイバ挿通孔３１Ｚの端部に底部が露出する凹部３１Ｘを備えた光ファイバ保持部材３１を形成する。光ファイバ挿通孔３１Ｚの内径は、光ファイバ２の外径よりわずかに大きい。光ファイバ挿通孔３１Ｚと凹部３１Ｘとは連通している。また、光ファイバ保持部材３１には、波長変換粒子分散液の注入口３１ａと排出口３１ｂを形成し、凹部３１Ｘと連続する連通部３１Ｙ（連通部３１Ｙａ：注入口３１ａと波長変換部３２との間、連通部３１Ｙｂ：排出口３１ｂと波長変換部３２との間）が形成されている。
【００３２】
次に、図２（ｂ）に示すように、光ファイバ２の出射端面側の端部２１を光ファイバ保持部材３１の光ファイバ挿通孔３１Ｚに挿入し、固定する。光ファイバの出射端面は、略平滑な面に形成され凹部３１Ｘ底面と同一面上あるいは、光ファイバ挿通孔３１Ｚ内へ少し引き込んだ位置に配置される。このとき、光ファイバ２の外周面と光ファイバ保持部材３１の光ファイバ挿通孔３１Ｚの内周面との間に固定材３６を充填し、硬化して固定することができる。
【００３３】
続いて、図２（ｃ）に示すように、凹部３１Ｘの開口を塞ぐように光透過部材３３を光ファイバ保持部材３１へ、接着材３４を用いて固定する。接着剤３４は、凹部３１Ｘを囲むように光ファイバ保持部材３１の上面に配置される。光透過部材３３は、光ファイバ保持部材３１に対し水密的に固定される。
【００３４】
続いて、図２（ｄ）に示すように、光ファイバ保持部材３１の凹部３１Ｘ内に、波長変換粒子を含有した水溶液を充填する。本実施例では、光ファイバ保持部材３１の注入口３１ａより波長変換粒子含有水溶液を連通部３１Ｙ、凹部３１Ｘが満たされるまで注入する。排出口３１ｂを備えることで空気を追い出して凹部３１Ｘ内に気泡を滞留させることなく波長変換粒子分散液を充填することができる。凹部３１Ｘ、連通部３１Ｙａおよび連通部３１Ｙｂに波長変換粒子分散液が充填される。
【００３５】
続いて、図２（ｅ）に示すように、注入口３１ａおよび排出口３１ｂを塞ぐ。例えば、シリコーン樹脂などの封止材を注入口３１ａおよび排出口３１ｂを覆うように塗布後硬化することにより、注入口３１ａおよび排出口３１ｂを塞ぐことができる。
【００３６】
最後に、以上のように発光部３を形成後、光ファイバ２の入射端面側の端部を光源モジュール１（具体的には蓋部材１６）に接続することにより発光装置１０を形成することができる。
【００３７】
［本発明の実施例１の発光装置を用いた照明装置の構成例］
次に、本発明の実施例１の発光装置を用いた照明装置の構成例について図３を参照して説明する。図３（ａ）および（ｂ）は、車両用灯具として用いられる照明装置であり、たとえば、図示しない車両の前部に搭載されて、車両前方に所定の配光パターンを形成する車両用前照灯である。これら、車両用前照灯は、外部から給電されることにより、白色光を発光する発光装置を備える。
【００３８】
図３（ａ）に示すのは、プロジェクタ型の車両用前照灯１００であり、車両前方側に配置された投影レンズ４１、車両後方側に配置された発光装置１０、発光装置１０からの光が入射するように、発光装置１０の側方から前方にかけての範囲を覆うように（すなわち発光装置１０の前方に）配置されたリフレクタ４２、投影レンズ４１と発光装置１０との間に配置されたシェード４３を備えている。投影レンズ４１、リフレクタ４２（反射面４２ａ）、シェード４３が投影光学系を構成している。発光装置１０は、発光装置１０の照射方向（すなわち当該発光装置１０の発光面）が上向きとなるように配置されている。リフレクタ４２は、成形樹脂基体上に、例えばＡｌやＡｇなどの反射率の高い金属膜からなる反射膜を備え、反射面４２ａを形成している。
反射面４２ａは、第１焦点が発光装置１０（具体的には発光装置１０の発光面）近傍に設定され、第２焦点がシェード近傍に設定された回転楕円系の反射面であり、発光装置１０からの光が入射するように配置されている。反射面４２ａは、発光面の像を車両前方に投影し、車両前端部に正対した仮想鉛直スクリーン上に所定の配光パターンを形成するように構成されている。シェード４３は、反射面４２ａからの反射光の一部を遮光および反射して配光パターンにおけるカットオフラインを形成し、上面に形成された反射面４２ａを投影レンズの焦点近傍に位置させた状態で投影レンズと発光装置１０との間に配置されている。
【００３９】
図３（ｂ）に示すのは、リフレクタ型の車両用前照灯１０１であり、発光装置１０の周囲に配置され、当該発光装置１０から出射される白色光を光軸方向前方に向かって反射させるリフレクタ５１を備えている。リフレクタ５１は、成形樹脂基体上に、例えばＡｌやＡｇなどの反射率の高い金属膜からなる反射膜を備え、反射面５１ａを形成している。リフレクタ５１は、発光装置からの（具体的には光透過部材３３からの）の放射光をその反射面５１ａで車両前方へ照射させる。光軸方向前方に向かって開口する凹状に形成され、光軸方向後方に配置される発光装置１０の周囲を包囲するように配設されている。光学系を形成するリフレクタ５１は、前方に向かって凹状の放物面系の反射面５１ａを有し、例えば複数の小反射領域に区画されたいわゆるマルチリフレクタであり、その焦点上に、発光装置（具体的には発光装置の発光面）が配置されている。ここで、放物面系の反射面は、回転放物面だけでなく、放物面を基本とした自由曲面を含むものである。反射面は、発光装置の発光面の像を車両前方に投影し、車両前端部に正対した仮想鉛直スクリーン上に所定の配光パターンを形成するように構成されている。
【００４０】
上記したように、本願発明の発光装置を用いて車両用灯具を構成することにより、車両走行中の振動で発光装置の波長変換部３２を構成する液体が揺動するため、波長変換粒子の発光中心（蛍光体粒子がＣｅを付活したＹＡＧの場合においてはＣｅ）にゆらぎが生じ、蛍光寿命に起因する輝度消光が生じるのを抑制することができる。
上記したように、本願発明の発光装置を用いて車両用灯具を構成することにより、車両走行中の振動で発光装置の波長変換部３２を構成する液体が揺動するため、半導体レーザ素子から放射されるレーザ光のコヒーレンス性を低下させて安全性を高めることもできる。
【実施例２】
【００４１】
以下に、本発明の実施例２に係る発光装置３Ａについて、図４を参照して説明する。図４（ａ）は、実施例２に係る発光装置３Ａにおける発光部３ａの概略断面図である。
【００４２】
実施例２に係る発光装置１０Ａは、発光部３ａが排出口３１ｂおよび波長変換部と排出口３１ｂとをつなぐ連通部３１Ｙｂを有さないこと以外の構成については、実施例１の発光装置装置１０とほぼ同様である。
排出口３１ｂを形成しないことにより、光ファイバ保持部材３１の作製コストや、波長変換部形成コスト（波長変換粒子含有液充填の加工コスト）を低減することができる。
【００４３】
ここで、実施例２に係る発光装置１０Ａは、排出口３１ｂを有さない構成に伴って、凹部３１Ｘ内に気泡滞留部７ａを形成しやすい構成となっている。凹部３１ｘ内に気泡滞留部７ａが形成された場合には、波長変換部３２ａを通過した光は、気泡滞留部７ａを介して光透過部材３３へ入射されることになり、発光装置１０Ａにおける光の取出し効率が低下することが懸念される。
そこで、本実施例の発光装置１０Ａは、照明装置において、図４（ｂ）に示すように、連通部３１Ｙａが発光面より上方に位置するように（連通部３１Ｙａが発光面より地面から離れた位置となるように）取り付けられることが好ましい。本実施例においては、発光装置１０Ａの光照射方向が地面に対して水平方向となり、発光面が地面に対して垂直となっている。
このように取り付けると、気泡は注入口３１ａ側の連通部３１Ｙａ内に収容されるため、光ファイバ２の出射端面２ａと発光面との間に気泡を介在させないものとすることができる。つまり、気泡滞留部７ｂを連通部３１Ｙａ内に配置することで、光透過部材３３と光ファイバ２の出射端面３ａとの間を波長変換粒子の分散された液体が満たす波長変換部３２ｂを形成することができる。
【００４４】
図４（ｃ）に、本実施例の発光装置１０Ａを用いた照明装置の構成例を示す。車両用灯具として用いられる照明装置であり、たとえば、図示しない車両の前部に搭載されて、車両前方に所定の配光パターンを形成する車両用前照灯１０２である。白色光を発光する発光装置１０Ａを備える。
本実施例の発光装置１０Ａを用いた車両用前照灯１０２は、車両前方側に配置された投影光学系としての投影レンズ６１、車両後方側に配置された、発光装置１０Ａ、投影レンズ６１と発光装置１０Ａとの間に配置されたシェード６２を備えている。シェード６２は、発光装置１０Ａからの光の一部を遮光して配光パターン内にカットオフラインを形成するための遮光部材であり、上端縁を投影レンズ６１の焦点近傍に位置させた状態で投影レンズ６１と発光装置１０Ａとの間に配置されている。
車両用前照灯１０２においては、発光装置１０Ａは、連通部３１Ｙａが発光面より上方に位置するように、取り付けられている。そのため、光ファイバ２の出射端面２ａと発光面との間に気泡を介在させることなく、車両前端部に正対した仮想鉛直スクリーン上に、光学設計された所定の配光パターンを形成することができる。
【００４５】
尚、本発明の発光装置は、上記した実施例に限定されるものではなく、本発明の要旨を逸脱しない範囲内において種々変更を加えることは勿論である。
【００４６】
例えば、上記実施例において、光ファイバ保持部材３１に形成した凹部３１Ｘは、上面視において円形に形成したが、図５（ａ）に示す矩形状など任意の形状、サイズとすることができる。つまり、用途に合わせた発光面形状、波長変換粒子を含有した液体を十分循環させるための形状、大きさとすることができる。図５（ａ）に示す発光部３Ａは、凹部３１Ｘが上面視において矩形状であるため、波長変換部３２ｂ、および光透過部材３３ａも矩形状に形成されている。
【００４７】
例えば、上記実施例において、光ファイバ保持部材３１に形成した凹部３１Ｘの内径は、光ファイバ２の直径より大きく形成したが、図５（ｂ）に示す発光部３Ｂように、光ファイバ２の直径と等しくして、光ファイバ２の直径と等しい直径の波長変換部３２ｃを形成することもできる。
【００４８】
例えば、上記実施例において、発光面（光透過部材３３）は、光ファイバ２の出射端面に対向する位置に設けたが、図５（ｃ）に示す発光部３Ｃように、光ファイバの出射端面２１ａに対向しない位置に設けてもよい。図５（ｃ）に示す発光部ように、光ファイバの出射端面２１ａに対向する位置に（波長変換部３２ｄを介して）光ファイバ保持部材３１を露出することができる。このような構成とすることで、光ファイバの出射端面２１ａ近傍で加熱された液体の多くが向かう光ファイバ保持部材３１における対向面３１ｃから光ファイバ保持部材３１へ効率よく放熱することができる。
【００４９】
例えば、上記実施例において、光源モジュール１における発光素子は、半導体レーザ光源としたが、媒体の異なるレーザ光源、ＬＥＤなどを用いることもできる。
例えば、上記実施例において、１つの発光素子および１本のファイバを用いたが、複数の発光素子、複数のファイバを用いることもできる。
例えば、上記実施例において、光ファイバ２として、コアの断面形状（これに伴い出射端面の形状）が円形のものを用いたが、矩形のものなど任意の形状のものを用いることができる。
例えば、上記実施例において、蛍光体は、光源モジュール１からの光の一部を吸収して波長変換するものを用いたが、光源モジュールからの光を全部吸収して波長変換するものを用いることもできる。
【００５０】
例えば、上記実施例において、注入口３１ａおよび排出口３１ｂは、光ファイバ保持部材３１の上面となるように形成したが、図５（ｄ）に示す発光部３Ｄおよび図５（ｅ）に示す発光部３Ｅのように、光ファイバ保持部材の下面や側面など、光ファイバ保持部材の任意の位置に形成することができる。
【００５１】
例えば、上記実施例において、波長変換部は、主として自然対流（具体的には熱対流）による対流を生じる構成を示したが、図５（ｆ）に示す発光部３Ｅように強制対流により対流を生じる構成とすることもできる。図５（ｆ）においては、光ファイバ保持部材３１に波長変換部３２と波長変換部３２ｅに連通する連通部３１Ｙが形成されており、連通部３１Ｙにマイクロポンプが配置されている。従って、波長変換粒子を含有する液体が、凹部３１Ｘおよび連通部３１Ｙを循環する構成となっている。つまり、波長変換部３２ｅに強制対流を生じさせることにより、放熱特性を向上および均一化することができる。
【００５２】
例えば、上記実施例において、光ファイバ保持部材３１の外形は、円柱状としたが、これに限らず、四角柱状など他の形状とすることができる。
【００５３】
例えば、上記実施例において、注入口３１ａおよび排出口３１ｂの数はそれぞれ１つに形成したが、これに限らず、注入口は１以上、注出口は０以上の任意の数で設けることができる。
【００５４】
例えば、上記実施例において、光透過部材３３は、光ファイバ保持部材３１に接着剤を介して取り付けたが、適宜な手段で取り付けることができる。例えば、凹部の内径よりわずかに大きく弾性変形可能な樹脂成形品（シリコーンゴムなど）からなる光透過部材を押し込んで圧接固定すること、光透過部材を光ファイバ保持部材の外径より大きなキャップ形状に形成して、光ファイバ保持部材の外側面と螺合させること、などにより取り付けることもできる。
【００５５】
例えば、上記実施例において、本願発明の発光装置を用いた照明装置として車両用灯具を示したが、これに限らず、室内照明、街路灯、内視鏡など他の照明装置を提供することができる。
【符号の説明】
【００５６】
１：光源モジュール
２：光ファイバ
２１：出射面側端部
２１ａ：出射面
３、３ａ、３Ａ、３Ｂ、３Ｃ、３Ｄ、３Ｅ、３Ｆ：発光部
３１：光ファイバ保持部材
３１ａ：注入口
３１ｂ：排出口
３１Ｘ：凹部
３１Ｙ：連通部
３１Ｚ：光ファイバ挿通孔
３２：波長変換部
３３：光透過部材
３４：接着材
３５：封止部
３６：固定材
３７：ポンプ
４１：投影レンズ
４２：リフレクタ
４２ａ：反射面
４３：シェード
５１：リフレクタ
５１ａ：反射面
６１：投影レンズ
６２：シェード
１００、１０１、１０２：車両用前照灯
【図１】
2015170839.tif 000003
【図２】
2015170839.tif 000004
【図３】
2015170839.tif 000005
【図４】
2015170839.tif 000006
【図５】
2015170839.tif 000007